(57)【要約】【課題】  ピボットレバーのリンク機構との連結部分に対する被水を防止又は効果的に軽減でき、しかも、ピボット孔からの異物の侵入を防止又は効果的に軽減できるワイパピボットを得る。【解決手段】  本ワイパピボット１０では、ピボット孔からの枯葉等の異物の侵入を防止するために防水カバー６０に設けられた円板部６８が、ピボットシャフトの回転半径方向に沿ってピボットレバーを被覆する平板部７０の側方で平板部７０に連続して形成されている。このため、ピボット孔からピボットレバーへ向けて落下した雨水が、円板部６８に干渉されることなく平板部７０に到達し、平板部７０上をつたって排水ゲート８８から排水される。【選択図】        図４
2006290300.tif 000002
【特許請求の範囲】
【請求項１】
車体を構成するパネル部材に形成されたピボット孔を前記車体の内側から貫通し、前記パネル部材の表側へ突出した先端側にワイパアームが固定されるピボットシャフトと、
前記車体に固定されて前記ピボットシャフトを回動自在に支持するピボットホルダと、
前記ピボットホルダの軸方向先端側で前記ピボットシャフトに一端が固定されると共に、駆動手段の駆動力を受けて揺動するリンク部材の連結部が他端に連結されて前記リンク部材の揺動を前記ピボットシャフトに伝えるピボットレバーと、
前記ピボットレバーの前記ピボット孔側に装着されて前記ピボットレバーを被覆する被覆部を有すると共に、当該被覆部をつたって流れる水を前記連結部とは別の位置へ案内して排水する排水案内部が形成され、且つ、前記ピボットシャフトの軸線方向を軸方向とした半径方向外側へ向けて前記被覆部から延出され、前記ピボット孔から侵入しようとする異物に干渉して前記異物の侵入を規制する異物侵入阻止部を有する防水カバーと、
を備えるワイパピボット。
【請求項２】
前記異物侵入阻止部の外周縁から前記ピボットシャフトの軸方向先端側へ向けて干渉壁を立設した、
ことを特徴とする請求項１に記載のワイパピボット。
【請求項３】
前記異物侵入阻止部の外周縁に沿って前記干渉壁を連続して形成すると共に、前記連結部側で前記干渉壁を部分的に切り欠き若しくは前記干渉壁に開口を形成することで形成した開放部を介して前記干渉壁の半径方向内側を前記排水案内部に連通させた、
ことを特徴とする請求項２に記載のワイパピボット。
【請求項４】
前記ピボットホルダに対して前記ピボットレバーの前記連結部が下側に位置するように前記ピボットホルダの軸線が傾斜した状態で前記ピボットホルダを前記車体に固定すると共に、
前記ピボットシャフトの側から前記連結部の側へ流れる前記水に干渉して前記水の流速を減速させる堰部を前記防水カバーに設けた、
ことを特徴とする請求項１乃至請求項３の何れか１項に記載のワイパピボット。
【請求項５】
前記ピボットホルダの先端よりも前記ピボットシャフトの先端側で前記ピボットシャフトの外周面に液密に密着して被覆部内部との間をシールするシール部を前記防水カバーに設けた、
ことを特徴とする請求項１乃至請求項４の何れか１項に記載のワイパピボット。
【請求項６】
前記ピボットレバーの一端から他端への向きに沿った前記ピボットレバーの中心線を軸に、前記防水カバーを線対称形状に形成した、
ことを特徴とする請求項１乃至請求項５の何れか１項に記載のワイパピボット。
【請求項７】
前記被覆部よりも下側で前記ピボットホルダを囲繞するスカート部を、前記被覆部から下方へ延出して形成した、
ことを特徴とする請求項１乃至請求項６の何れか１項に記載のワイパピボット。
【発明の詳細な説明】
【技術分野】
【０００１】
本発明は、車両のウインドシールドガラス等を払拭するワイパ装置を構成するワイパピボットに関する。
【背景技術】
【０００２】
車両に搭載されるワイパ装置は、ワイパピボットを構成するピボットホルダに回動自在に軸支されていると共に、車両のカウルトップパネルに形成されたピボット孔を貫通した先端側にアームヘッドやワイパアームを介してワイパブレードが機械的に連結されている。
【０００３】
モータの駆動力がピボットシャフトに伝えられることで、ピボットシャフトが自らの軸周りに往復回動すると、ワイパブレードに設けられたブレードラバーが車両のウインドシールドガラス等の被払拭面上を往復回動して被払拭面を払拭する。
【０００４】
一方で、このようなワイパピボットでは、雨天時に雨水がピボット孔から浸入するが、この水がワイパ装置の駆動源やピボットシャフトを往復回動させるためのリンク機構の連結部分（ボールジョイント部）に飛水すると電気的トラブルやグリス切れ等の不具合が発生する可能性がある。
【０００５】
このため、下記特許文献１や特許文献２では、ピボットシャフトを回動自在に軸支するピボットホルダ（特許文献１では軸ステーと称している）の上端側と、このピボットホルダの上端側でピボットシャフト（特許文献１ではワイパ軸と称している）に固定されてピボットシャフトと上記のリンク機構とを連結するピボットレバー（特許文献１では揺動アームと称している）とを防水カバーによって被覆している。
【０００６】
防水カバーのピボットレバー側の端部からはピボットシャフトの軸方向上方へ向けて案内リブや案内部と称される壁部が立設されており、ピボット孔から防水カバー上に落下した雨水が、ピボットレバーへ向けて流れると、案内リブや案内部に干渉されてピボットレバーの幅方向外方（すなわち、ピボットシャフトからリンク機構との連結部分への向きに対して交差した方向）へ雨水の向きが変えられて排水される。これにより、雨水がリンク機構との連結部分に到達することを防止している。
【０００７】
一方で、上記のピボット孔からは、枯葉等の異物が侵入する可能性もあり、しかも、このようにピボット孔から侵入した異物は侵入してカウルパネル上で腐敗することがある。カウルパネルの近傍には、車両のエアコンディショナの吸気口が設けられており、この吸気口の近傍で上記のように異物が腐敗すると、異臭が車両の室内に取り込まれてしまい、車両の乗員に不快感を与える可能性がある。
【０００８】
そこで、下記特許文献３に開示された技術では、異物侵入防止用のプレートをピボット孔の下側近傍でピボットシャフトに設けている。
【特許文献１】実開平４−２４８６０号公報
【特許文献２】特開２０００−２２５９２５公報
【特許文献３】特開平１１−３０１４１９号公報
【発明の開示】
【発明が解決しようとする課題】
【０００９】
しかしながら、特許文献３に開示されているようなプレートを、特許文献１や特許文献２に開示されているような防水カバーよりもピボットシャフトの軸方向先端側に設けると、ピボット孔から落下した雨水は防水カバーに到達する前にプレートに到達してしまう。
【００１０】
このように雨水がプレートに到達した状態でピボットシャフトと共にプレートが回動すると、遠心力で雨水がプレートの回転半径方向外方へ撒き散らされてしまい、これによって、ピボットレバーのリンク機構との連結部分が被水する可能性がある。
【００１１】
本発明は、上記事実を考慮して、ピボットレバーのリンク機構との連結部分に対する被水を防止又は効果的に軽減でき、しかも、ピボット孔からの異物の侵入を防止又は効果的に軽減できるワイパピボットを得ることが目的である。
【課題を解決するための手段】
【００１２】
請求項１に記載の本発明に係るワイパピボットは、車体を構成するパネル部材に形成されたピボット孔を前記車体の内側から貫通し、前記パネル部材の表側へ突出した先端側にワイパアームが固定されるピボットシャフトと、前記車体に固定されて前記ピボットシャフトを回動自在に支持するピボットホルダと、前記ピボットホルダの軸方向先端側で前記ピボットシャフトに一端が固定されると共に、駆動手段の駆動力を受けて揺動するリンク部材の連結部が他端に連結されて前記リンク部材の揺動を前記ピボットシャフトに伝えるピボットレバーと、前記ピボットレバーの前記ピボット孔側に装着されて前記ピボットレバーを被覆する被覆部を有すると共に、当該被覆部をつたって流れる水を前記連結部とは別の位置へ案内して排水する排水案内部が形成され、且つ、前記ピボットシャフトの軸線方向を軸方向とした半径方向外側へ向けて前記被覆部から延出され、前記ピボット孔から侵入しようとする異物に干渉して前記異物の侵入を規制する異物侵入阻止部を有する防水カバーと、を備えている。
【００１３】
請求項１に記載の本発明に係るワイパピボットによれば、ピボットホルダの先端側は、防水カバーの被覆部によって被覆される。雨天時や洗車時等、車体を構成するパネル部材に形成されたピボット孔から浸入し被覆部に付着した水滴は被覆部をつたって流れる。このように被覆部をつたって流れる水は、防水カバーの排水案内部によってピボットレバーとリンク部材との連結部とは別の位置に案内されて排水される。これにより、この連結部への被水が防止又は効果的に軽減される。
【００１４】
ところで、本発明に係るワイパピボットでは、ピボットホルダの先端側でピボットレバーがピボットシャフトに固定される構造であるため、ピボット孔に対してピボットレバーが比較的近接配置される。したがって、ピボットレバーのピボット孔側を被覆する防水カバーもピボット孔に対して近接配置される。
【００１５】
このようにピボット孔に対して近接配置される防水カバーに着目し、防水カバーの被覆部からは、ピボットシャフトの軸線を中心とした半径方向外側へ向けて異物侵入阻止部が延出されており、枯葉等の異物がピボット孔からパネル部材の内側へ侵入しようとすると、異物が異物侵入阻止部に干渉され、これにより、異物に進入が阻止される。
【００１６】
また、防水カバーは、上記のように、ピボットシャフトの軸線を中心とした半径方向外側へ向けて被覆部から異物侵入阻止部が延出された構造であるので、従来のようにピボット孔からピボットレバーへ向かって流れ落ちた水が、被覆部よりも先に異物侵入阻止部に到達してしまいピボットレバーの回動によって周囲に撒き散らされて、ピボットレバーとリンク部材との連結部位が被水してしまうといったことが防止される。このようにピボットレバーへ向かって流れ落ちた水は円滑に被覆部上をつたって排水案内部に案内されて排水される。
【００１７】
しかも、上記のように、異物侵入阻止部が被覆部から延出形成されている構造であるため、部品点数が増加することがない。
【００１８】
請求項２に記載の本発明に係るワイパピボットは、請求項１に記載の本発明において、前記異物侵入阻止部の外周縁から前記ピボットシャフトの軸方向先端側へ向けて干渉壁を立設した、ことを特徴としている。
【００１９】
請求項２に記載の本発明に係るワイパピボットでは、防水カバーの異物侵入阻止部に干渉されて侵入が阻止された異物が、例えば、車両走行時の振動等で異物侵入阻止部の外側へ移動して異物侵入阻止部の外周縁に到達すると、この異物侵入阻止部の外周縁から立設された干渉壁に干渉される。
【００２０】
これにより、これ以上異物侵入阻止部の外側へ異物が移動することが規制される。このため、異物の侵入を更に効果的に防止又は軽減できる。
【００２１】
請求項３に記載の本発明に係るワイパピボットは、請求項２に記載の本発明において、  前記異物侵入阻止部の外周縁に沿って前記干渉壁を連続して形成すると共に、前記連結部側で前記干渉壁を部分的に切り欠き若しくは前記干渉壁に開口を形成することで形成した開放部を介して前記干渉壁の半径方向内側を前記排水案内部に連通させた、ことを特徴としている。
【００２２】
請求項３に記載の本発明に係るワイパピボットでは、干渉壁が開放部を除いて異物侵入阻止部の外周縁に沿って連続して形成される。このため、ピボット孔を通過して異物侵入阻止部に到達した水（雨水等）が異物侵入阻止部の外側へ流れ出ずに干渉壁の内側に留まる。このため、防水カバーがピボットシャフトと共に回動しても、遠心力で異物侵入阻止部上の水が回動半径方向外方へ撒き散らされることがない。
【００２３】
一方で、干渉壁には開放部が形成される。開放部はピボットレバーとリンク部材との連結部側で干渉壁を切り欠き若しくは干渉壁に開口を形成することで形成され、この開放部を介して干渉壁の半径方向内側と外側とが連通している。したがって、干渉壁の内側に留まった水は開放部から干渉壁の外側に流れる。
【００２４】
さらに、開放部は干渉壁の半径方向内側と排水案内部とが連通しているため、開放部から干渉壁の外側に流れた水は排水案内部によってピボットレバーとリンク部材との連結部とは別の位置に案内されて排水される。これにより、この連結部への被水が防止又は効果的に軽減される。
【００２５】
請求項４に記載の本発明に係るワイパピボットは、請求項１乃至請求項３の何れか１項に記載の本発明において、前記ピボットホルダに対して前記ピボットレバーの前記連結部が下側に位置するように前記ピボットホルダの軸線が傾斜した状態で前記ピボットホルダを前記車体に固定すると共に、前記ピボットシャフトの側から前記連結部の側へ流れる前記水に干渉して前記水の流速を減速させる堰部を前記防水カバーに設けた、ことを特徴としている。
【００２６】
請求項４に記載の本発明に係るワイパピボットによれば、ピボットホルダは軸線が傾斜した状態で車体に固定される。さらに、本発明に係るワイパピボットにでは、このように固定されたピボットホルダに対してピボットレバーのリンク部材との連結部が下側に位置する。したがって、防水カバー上ではピボットシャフト側からピボットレバーとリンク部材との連結部側へ向けて水が流れようとする。
【００２７】
ここで、防水カバーには堰部が設けられており、上記のようにピボットシャフト側からピボットレバーとリンク部材との連結部側へ向けて防水カバー上を流れる水に堰部が干渉する。このように水が堰部に干渉されることで水の流速が減速される。
【００２８】
これにより、過剰な勢いで水が流れても、上記のように水が減速されることで、水を排水案内部に向かわせることができ、勢いで水がピボットレバーとリンク部材との連結部へ向かい、連結部が被水することを防止又は効果的に軽減できる。
【００２９】
請求項５に記載の本発明に係るワイパピボットは、請求項１乃至請求項４の何れか１項に記載の本発明において、前記ピボットホルダの先端よりも前記ピボットシャフトの先端側で前記ピボットシャフトの外周面に液密に密着して被覆部内部との間をシールするシール部を前記防水カバーに設けた、ことを特徴としている。
【００３０】
請求項５に記載の本発明に係るワイパピボットによれば、防水カバーに設けられたシール部が、ピボットホルダの先端よりもピボットシャフトの先端側でピボットシャフトの外周面に密着しているため、ピボットシャフトをつたって流れる水が、シール部により被覆部内部に浸入することが防止される。これにより、被覆部内部に水が浸入して更にピボットシャフトとピボットホルダとの間に浸入することが防止される。
【００３１】
請求項６に記載の本発明に係るワイパピボットは、請求項１乃至請求項５の何れか１項に記載の本発明において、前記ピボットレバーの一端から他端への向きに沿った前記ピボットレバーの中心線を軸に、前記防水カバーを線対称形状に形成した、ことを特徴としている。
【００３２】
請求項６に記載の本発明に係るワイパピボットでは、防水カバーがピボットレバーの一端から他端への向きに沿ったピボットレバーの中心線を軸に線対称に形成される。このため、排水案内部もピボットレバーの中心線を軸として両側に線対称に設けられる。
【００３３】
防水カバーがピボットシャフトやピボットレバーと共にピボットシャフト周りに往復回動した際には、往動時において排水案内部の一方の側から水が案内排水され、復動時には排水案内部の他方の側から水が案内排水される。
【００３４】
請求項７に記載の本発明に係るワイパピボットは、請求項１乃至請求項６の何れか１項に記載の本発明において、前記被覆部よりも下側で前記ピボットホルダを囲繞するスカート部を、前記被覆部から下方へ延出して形成した、ことを特徴としている。
【００３５】
請求項７に記載の本発明に係るワイパピボットでは、防水カバーの被覆部の下側からスカート部が延出され、ピボットホルダがスカート部によって囲繞される。このため、スカート部の外側から水がピボットホルダ先端部へ滴り落ちることが防止され、ピボットホルダとピボットシャフトとの間に水が浸入することを防止する。
【発明を実施するための最良の形態】
【００３６】
＜本実施の形態の構成＞
図１には本発明の一実施の形態に係るワイパピボット１０を適用した車両１２の要部の構成が断面図によって示されている。
【００３７】
なお、この図１において矢印ＵＰ方向は水平面に車両１２を載置した際の車両上方（鉛直上方）を示し、矢印ＤＷ方向は水平面に車両１２を載置した際の車両下方（鉛直下方）を示す。また、矢印ＬＥ方向は水平面に車両１２を載置した際の水平方向を示す。
【００３８】
図１に示されるように、本ワイパピボット１０は、ピボットホルダ１４を備えている。ピボットホルダ１４は全体的にアルミニウム合金や亜鉛合金等をダイカスト成形することで形成されている。
【００３９】
ピボットホルダ１４は固定片１６を備えている。固定片１６は車両１２の表面側で車体を構成するパネル部材としての車両パネル１８と、この車両パネル１８の下側で車体を構成するカウルパネル２０との間に配置されている。固定片１６はその長手方向中間部にて厚さ方向にクランク状に屈曲されており、その一端には図示しない透孔が固定片１６の厚さ方向に貫通している。
【００４０】
この透孔に対応してカウルパネル２０には図示しない透孔が形成されている。これらの透孔の貫通方向（図１の矢印Ｌ１方向）はその車両１２の上下方向（図１の矢印ＵＰ方向及び矢印ＤＷ方向）に対して水平方向（図１の矢印ＬＥ方向）に所定角度θ１だけ傾斜しており、互いに同軸的に対向している。
【００４１】
また、固定片１６の透孔２２には筒状のゴムマウント２６が貫通した状態で設けられており、更に、ゴムマウント２６には固定ボルト２８が貫通している。
【００４２】
固定ボルト２８は上記のカウルパネル２０側の透孔を貫通しており、固定ボルト２８の先端（下端）にナット３０が螺合することで、固定片１６がカウルパネル２０に固定されている。固定片１６の他端部にはピボットホルダ１４のホルダ本体３２が形成されている。
【００４３】
ホルダ本体３２は略円筒状に形成されており、その軸方向（図１のＬ２方向）は車両１２の上下方向（図１の矢印ＵＰ方向及び矢印ＤＷ方向）に対して水平方向（図１の矢印ＬＥ方向）に所定角度θ２だけ傾斜している。ホルダ本体３２にはピボットシャフト３６が挿通されており、ピボットシャフト３６はその軸線Ｌ２周りにホルダ本体３２に回転自在に軸支されている。
【００４４】
ピボットシャフト３６はその先端側がホルダ本体３２の先端（上端）から突出しており、更に、ホルダ本体３２の上方で車両パネル１８に形成されたピボット孔３８を貫通して車両の外側へ突出している。ピボット孔３８から突出したピボットシャフト３６の先端にはワイパアーム４０の長手方向基端側を貫通しており、ピボットシャフト３６の先端に装着されたナット４２によってワイパアーム４０がピボットシャフト３６に固定されている。
【００４５】
ワイパアーム４０の先端側にはワイパブレード（図示省略）が機械的に連結されており、ワイパアーム４０がピボットシャフト３６と共に回動することでワイパブレードに設けられたブレードラバーが被払拭面としてのウインドシールドガラス４４のガラス面上を回動し、ウインドシールドガラス４４のガラス面を払拭する。
【００４６】
一方、ピボットシャフト３６にはピボットレバー４６が一体的に固定されている。ピボットレバー４６はホルダ本体３２の先端と車両パネル１８との間に設けられている。
【００４７】
ピボットレバー４６の先端側下面には連結部を構成する連結ピン４８が設けられている。連結ピン４８にはボール軸受５０がピボットシャフト３６の軸方向と略同方向を軸方向とする軸周りに回転自在に装着されている。ボール軸受５０には本ワイパピボット１０と共にワイパ装置を構成するリンク部材（図示省略）に連結されている。
【００４８】
また、ピボットレバー４６の先端側上面には連結部を構成する連結ピン５２が設けられている。連結ピン５２にはボール軸受５４がピボットシャフト３６の軸方向と略同方向を軸方向とする軸周りに回転自在に装着されている。ボール軸受５４には本ワイパピボット１０と共にワイパ装置を構成するリンク部材（図示省略）に連結されている。
【００４９】
ボール軸受５０、５４の何れかに連結されたリンク部材は、直接又は間接的に駆動手段としてのワイパモータ（図示省略）に機械的に連結されており、ワイパモータの駆動力によりリンク部材が揺動すると、このリンク部材の揺動がボール軸受５０又はボール軸受５４を介してピボットレバー４６の先端側へ伝えられ、ピボットレバー４６がピボットシャフト３６の軸心Ｌ２周りに揺動し、更に、ピボットシャフト３６が往復回動する。
【００５０】
このように、ピボットレバー４６は、ピボットシャフト３６側から先端部（連結部）側へ向けて下り勾配となるように延出されている。
【００５１】
一方、ピボットホルダ１４の先端（上端）側には防水カバー６０が装着されている。ここで、図２には防水カバー６０の斜視図が示されており、図３には図１とは異なる方向からの防水カバー６０の斜視図が示されている。
【００５２】
図２及び図３に示されるように、防水カバー６０は筒状部６２を備えている。筒状部６２は内径寸法がピボットシャフト３６の外径寸法よりも大きな円筒形状に形成されており、ピボットレバー４６よりもピボットシャフト３６の先端側でピボットシャフト３６に被嵌されている。
【００５３】
ピボットシャフト３６の先端（上端）側を向いた筒状部６２の上端部には上底壁６４が形成されている。上底壁６４はピボットシャフト３６の先端（上端）側へ向けて漸次外径寸法が小さくなる円錐台形状で、筒状部６２に対して同軸的に形成されている。上底壁６４は少なくとも最大外径寸法が筒状部６２の外径寸法よりも大きく、上底壁６４は筒状部６２の半径方向外方へフランジ状に張り出している。
【００５４】
上底壁６４には内径寸法がピボットシャフト３６の外径寸法に略等しい円形の透孔６６が、筒状部６２の内外周に対して同軸的に形成されており、透孔６６の内周部にピボットシャフト３６の外周部が接した状態（密着した状態）で透孔６６をピボットシャフト３６が貫通している。
【００５５】
一方、上底壁６４とは反対側の筒状部６２の下端部には異物侵入阻止部としての円板部６８が形成されている。円板部６８は全体的に外径寸法が筒状部６２の外径寸法よりも十分に大きな円板状で、筒状部６２に対して同軸的に形成されている。
【００５６】
円板部６８の外周一部からは、被覆部としての平板部７０が連続して形成されている。平板部７０は防水カバー６０をピボットシャフト３６及びピボットホルダ１４に装着した際に、ピボットシャフト３６の回転半径方向に沿ってピボットレバー４６の延出方向へ向けて円板部６８の外周部から延出されており、防水カバー６０をピボットシャフト３６及びピボットホルダ１４に装着した状態では、少なくとも、ピボットレバー４６のピボット孔３８との対向側を、円板部６８と平板部７０が覆っている。
【００５７】
円板部６８及び平板部７０の下面（ピボット孔３８とは反対側の面）にはスカート７２が形成されている。スカート７２は、筒状部６２の軸方向に沿って高さ方向とされた壁部で、図５の底面図に示されるように、円板部６８に対する平板部７０の延出方向へ向けて開口した略Ｕ字形状に形成されている。
【００５８】
スカート７２の内幅寸法Ｄ１は、円板部６８の外径寸法Ｄ２よりも十分に小さいが、ホルダ本体３２の外径寸法Ｄ３以上とされている。防水カバー６０をピボットシャフト３６及びピボットホルダ１４に装着した状態では、スカート７２は、ホルダ本体３２の上端部近傍でホルダ本体３２の外周部を覆うと共に、ピボットレバー４６の基端側の周囲を覆っている。
【００５９】
スカート７２の平板部７０側には一対の規制片７４が形成されている。これらの規制片７４は、スカート７２の底面視形状をＵ字形状とみなした場合のスカート７２の開口端で、ピボットレバー４６の幅方向に互いに対向するように設けられている。図７の背面図に示されるように、これらの規制片７４の間隔Ｄ４はピボットレバー４６の幅寸法Ｄ５よりも僅かに大きく設定されている。
【００６０】
また。規制片７４の下端部（規制片７４の平面部７６とは反対側の端部）からは、両規制片７４の対向方向に沿った内方側へ向けて爪部７５が延出されている。これらの爪部７５の間隔Ｄ６は、ピボットレバー４６の幅寸法よりも小さく、防水カバー６０がピボットレバー４６に装着された状態では規制片７４の間でピボットレバー４６が位置し、両爪部７５によってピボットレバー４６の下面側に係合することで防水カバー６０が係止される。これにより、防水カバー６０、特に平板部７０側がピボットレバー４６から外れようとするのを防止する。
【００６１】
一方、図４に示されるように、円板部６８には平面部７６が形成されている。平面部７６は、円板部６８の一部を構成している。平面部７６は円板部６８の半径方向に沿って平板部７０とは反対側では、曲率中心が筒状部６２と略同心の半円形状に形成されている。
【００６２】
また、平板部７０は、平面視においてその延出方向に長手の矩形状（長方形状）に形成され、その短手方向の幅寸法Ｄ７は平面部７６の半円形状部分の直径寸法となっている。
【００６３】
平板部７０は、この平面部７６の矩形状の部分から連続して形成されており、平面部７６と面一とされている。
【００６４】
円板部６８の半径方向に平面部７６の外側には斜面部７８が形成されている。円板部６８において斜面部７８は、筒状部６２から円板部６８の半径方向外側へ傾斜した下り勾配の斜面とされており、この斜面部７８では円板部６８の肉厚が漸次薄くなっている。
【００６５】
また、図４の平面図に示されるように、斜面部７８は、平板部７０の幅方向中央部を通過する仮想線Ｓ１を軸とした線対称形状に形成されている。
【００６６】
さらに、円板部６８の外周縁には干渉壁としての周壁８０が一体に形成されている。周壁８０は円板部６８に対して同心のリング状で、円板部６８の外周部から、より詳しくは、斜面部７８の更に外周部から筒状部６２の軸方向上端側へ向けて立設されている。
【００６７】
周壁８０には開放部８２が形成されている。開放部８２は周壁８０の平板部７０の側に形成されており、この開放部８２が形成された部分では周壁８０がその周方向に連続していない（すなわち、周壁８０は、平板部７０の側で部分的に切り欠かれた欠円環状に形成されている）。
【００６８】
さらに、周壁８０の周方向に沿った開放部８２側の両端部の間隔Ｄ８は、平板部７０の幅寸法Ｄ７よりも小さく設定されており、更に、周壁８０の周方向両端は、平板部７０の幅方向中央から等間隔となるように設定されている（すなわち、周壁８０は、仮想線Ｓ１を軸とする線対称に形成されている）。
【００６９】
図６の側面図に示されるように、周壁８０は、所定の部位、例えば、筒状部６２の軸方向及び上記の仮想線Ｓ１双方に対して直交する方向に沿った仮想線Ｓ２との交差位置Ｐの近傍から、開放部８２へ向けて漸次高さ寸法（すなわち、筒状部６２の軸方向に沿った）寸法が増大している。
【００７０】
また、円板部６８の外周部のうち、斜面部７８の外周部が占める部分では、周壁８０の内周部と斜面部７８との間の空間は遊水部８４とされている。
【００７１】
一方、平板部７０の先端部（すなわち、円板部６８とは反対側の端部）は、円板部６８とは反対側へ張り出すように湾曲しており、この平板部７０の先端部からは、排水案内部を構成するガイド壁８６が筒状部６２の軸方向に沿った上端側へ向けて立設されている。また、ガイド壁８６は、周壁８０と同様に仮想線Ｓ１を軸する線対称形状に形成されている。
【００７２】
さらに、ガイド壁８６の各端部と周壁８０の各端部との間は排水案内部を構成する排水ゲート８８とされており、ガイド壁８６の両側に排水ゲート８８が設定されている。
【００７３】
また、周壁８０の周方向両端部とガイド壁８６との間には、堰部９０が平板部７０から筒状部６２の軸方向上端側へ向けて立設されている。堰部９０は平板部７０の幅方向に沿って長手の壁部で、その長手方向両端部は平板部７０の幅方向中央から略等位置にある（すなわち、堰部９０もまた周壁８０やガイド壁８６と同様に仮想線Ｓ１を軸とする線対称形状に形成されている）。
【００７４】
＜本実施の形態の作用、効果＞
次に、本実施の形態の作用並びに効果について説明する。
【００７５】
例えば、雨天時等にワイパモータを作動させると、上記のように、ボール軸受５０、５４に連結されたリンク部材のうち、ワイパモータに連結された方が揺動する。このリンク部材の揺動がピボットレバー４６の先端側へ伝えられると、ピボットレバー４６がピボットシャフト３６の軸心周りに揺動し、ピボットシャフト３６が往復回動する。
【００７６】
ピボットシャフト３６が往復回動することで、ピボットシャフト３６の先端に連結されたワイパアーム４０が往復回動し、更に、ワイパアーム４０に連結されたワイパブレードがウインドシールドガラス４４のガラス面上を往復回動する。
【００７７】
このように、ウインドシールドガラス４４のガラス面上をワイパブレードが往復回動することで、ワイパブレードに設けられてウインドシールドガラス４４のガラス面に圧接されているブレードラバーによってウインドシールドガラス４４のガラス面が払拭される。
【００７８】
一方、このような雨天時には、例えば、車両パネル１８に付着した雨水が、車両パネル１８の表面の傾斜によって車両パネル１８の表面上を流れてピボット孔３８に到達すると、雨水がピボット孔３８の内周縁から落下する。しかしながら、ピボットレバー４６には、防水カバー６０が装着されてピボットレバー４６が被覆されているため、雨水はピボットレバー４６に直接降りかかることはない。
【００７９】
また、防水カバー６０は、円板部６８がピボット孔３８に臨んで近接して配置されているので、ピボット孔３８から浸入した雨水は円板部６８にて大半が受け止められる。そして、この円板部６８にて受け止められた雨水は、ピボットレバー４６がピボットシャフト３６側から先端部（連結部）側に向けて下り勾配となっているため、開放部８２から平板部７０上をピボットレバー４６の先端部に向けて流れる。
【００８０】
平板部７０を更に流れると堰部９０に到達して、堰部９０によって雨水が干渉される。堰部９０からの干渉を受けた雨水は、その流れの向きを堰部９０によって強制的に平板部７０の幅方向外方側へ変えられて排水ゲート８８に向かい、排水ゲート８８から平板部７０の幅方向外方へ排水される。
【００８１】
このように、本実施の形態では、ピボットレバー４６へ向けて落下する雨水は、ピボットレバー４６と同じ軸方向位置に配置された平板部７０及びその平板部７０と略面一に形成された円板部６８により受け止められて排水ゲート８８から排水されるため、不用意に雨水が撒き散らされてピボットレバー４６の連結部が被水してしまうことを防止できる。
【００８２】
ところで、防水カバー６０は、両規制片７４がピボットレバー４６に係止されることでピボットレバー４６から、特に先端部側が被覆状態から外れてしまうことが防止される。したがって、上記のようにピボットレバー４６及びピボットシャフト３６が往復回動すると、防水カバー６０もまたピボットシャフト３６と一体的に往復回動する。
【００８３】
円板部６８上の雨水には、防水カバー６０が往復回動する際の遠心力が作用し、勢いよく開放部８２からガイド壁８６へ向かうことがある。しかしながら、このように勢いよくガイド壁８６へ雨水が向かったとしても、堰部９０に干渉されることで勢いが減衰される。
【００８４】
したがって、仮に、雨水が堰部９０を乗り越えても、流速が十分に減速されるので、ガイド壁８６によって向きが変えられて排水ゲート８８へより確実に向かわせることができ、排水ゲート８８から平板部７０の幅方向外方へ排水される。
【００８５】
一方、ワイパアーム４０の基端部近傍に付着した雨水がピボットシャフト３６をつたってピボット孔３８から浸入する場合がある。この場合、防水カバー６０の筒状部６２において上底壁６４に形成された透孔６６の内周部がピボットシャフト３６の外周部に液密に密着しているため、筒状部６２の内側への雨水の浸入が防止（シール）され、ピボットシャフト３６の先端側から防水カバー６０内部のピボットレバー４６に雨水が到達して被水してしまうことを防止している。
【００８６】
一方、上記のように、上底壁６４の外周部から落下した雨水や、筒状部６２の外周部をつたって下降する雨水は円板部６８の平面部７６上に到達する。また、雨水が車両パネル１８に付着することなくそのままピボット孔３８を通過した場合にも円板部６８の平面部７６に雨水が到達することがある。
【００８７】
上記のように、ピボットシャフト３６は車両１２の上下方向（図１の矢印ＵＰ方向及び矢印ＤＷ方向）に対して水平方向（図１の矢印ＬＥ方向）にθ２の角度で傾斜しているため、筒状部６２の軸方向や平面部７６の面の向きも同様に傾斜し、ピボットレバー４６のリンク部材との連結部（または、開放部８２）に向けて傾斜角度θ２の下り勾配が設定される。このため、雨水は自重により流れ、開放部８２を通過する。
【００８８】
平板部７０に到達した雨水は、平板部７０に落下した雨水と同様に堰部９０に干渉されることで流速が十分に減速され、ガイド壁８６によって確実に流れの方向が平板部７０の幅方向外方側へ変えられて排水ゲート８８に向かい、排水ゲート８８から平板部７０の幅方向外方へ排水される。
【００８９】
また、上記のように防水カバー６０が回動することにより円板部８６上の雨水に遠心力が作用すると、開放部８２へ向かわないこともある。このように開放部８２へ向かわない雨水は、斜面部７８の外周縁に沿って周壁８０が形成されているため、周壁８０にて受け止められて遊水部８４に留まり、遠心力で円板部６８の外側へ撒き散らされることが防止される。
【００９０】
さらに、防水カバー６０が、車両１２の上下方向に対して水平方向にθ２の角度で傾斜しているため、遊水部８４に留められた雨水は自重で開放部８２へ向かい流れる。
【００９１】
また、雨水が自重で遊水部８４から抜け出せなくとも、上記のように防水カバー６０がピボットシャフト３６と共に回動することで、遊水部８４内の雨水は周壁８０に沿ってその周方向に移動する。このように、雨水が移動することで遊水部８４から雨水が抜け出て自重によって開放部８２へ向かう。
【００９２】
さらに、上記のように、排水ゲート８８は、平板部７０の幅方向中央を通過する仮想線Ｓ１を軸に線対称に設けられているため、防水カバー６０がピボットシャフト３６と共にピボットシャフト３６の軸心周りの一方、他方の何れに回動しても、何れかの排水ゲート８８から確実に雨水が排水される。
【００９３】
このように、本実施の形態では、平面部７６に落ちた雨水は、不用意に撒き散らされることなく、ピボットレバー４６と上記の各リンク部材との連結位置、すなわち、連結ピン４８、５２が設けられている位置とは異なる位置である排水ゲート８８から確実に排水される。このため、連結ピン４８、５２が被水することがない。このため、連結ピン４８、５２が雨水に被水することで、連結ピン４８、５２周りに塗布された潤滑油脂が流れ出してリンク部材との連結部位が磨耗してしまうといったことが防止される。
【００９４】
また、上記のように雨水は排水ゲート８８からピボットレバー４６の長手方向基端部近傍でピボットレバー４６の幅方向側方に排水されるが、円板部６８や平板部７０の下面に形成されたスカート７２が、円板部６８や平板部７０の下側でピボットホルダ１４やピボットレバー４６を覆っている。このため、排水ゲート８８から排水された雨水がピボットホルダ１４やピボットレバー４６に被水することがない。
【００９５】
一方、車両パネル１８上には雨水ばかりでなく枯葉等の異物が落ちることがあり、このように車両パネル１８上に落ちた枯葉が風圧等でピボット孔３８に到達すると、ピボット孔３８を通過して落下しようとする。しかしながら、本実施の形態では、ピボットレバー４６はピボットホルダ１４の先端側にてピボットシャフト３６に固定され、そのピボットレバー４６に防水カバー６０が装着されているため、車両パネル１８のピボット孔３８に近接して防水カバー６０が配置される。しかも、防水カバー６０には、ピボットシャフト３６の軸線を中心とする径方向に円板部６８が延出形成され、ピボットシャフト３６に対向して配置されている。
【００９６】
このため、ピボット孔３８を通過しようとする異物は直ちに円板部６８によりその侵入が阻まれる。これにより、異物がピボット孔３８を通過して車両パネル１８の内部に侵入することを防止でき、車両パネル１８の表面側からピボット孔３８に入り込もうとした異物を容易に摘み上げて除去できる。
【００９７】
また、上記のように円板部６８がピボット孔３８に接近して設けられるため、車両パネル１８の裏面と円板部６８との間隔が狭い。このため、ピボット孔３８に入り込んだ異物が円板部６８の半径方向外方側へ移動して円板部６８の外周部に到達することが困難である。しかも、円板部６８の外周縁には周壁８０が立設形成されているので、例えば、ピボット孔３８から侵入しようとして円板部６８にその侵入を阻まれた枯葉などの異物が、車両１２の走行時の振動などで円板部６８の半径方向外方へ移動しても、周壁８０にて異物の移動が規制される。このように、雨水の周囲への撒き散らしを効果的に防止する周壁８０により、異物の侵入をも効果的に防止することができる。
【００９８】
また、上記のように、防水カバー６０は、本実施の形態では、上記のように連結ピン４８、５２に対する被水を防止するための構成と、カウルパネル２０上（車両パネル１８の内部）に枯葉等の異物が落下して溜まるのを防止するための構成とが一体となっているため、防水カバーとは別に異物の侵入を阻止するための構成を設ける場合に比べて部品点数を軽減でき、コストも安価にできる。
【００９９】
なお、本実施の形態では、開放部８２を除いて周壁８０を円板部６８の外周縁に沿って連続して形成した。しかしながら、例えば、円板部６８の外周縁に沿って周壁８０を断続的に形成する構成であっても枯葉等の異物に干渉して円板部６８の外側へ落下することを防止又は抑制する点だけを考えるならば、その機能を果たし得る。
【図面の簡単な説明】
【０１００】
【図１】本発明の一実施の形態に係るワイパピボットを適用した車両の要部の断面図である。
【図２】本発明の一実施の形態に係るワイパピボットの防水カバーの斜視図である。
【図３】図２とは異なる向きからの防水カバーの斜視図である。
【図４】防水カバーの平面図である。
【図５】防水カバーの底面図である。
【図６】防水カバーの側面図である。
【図７】防水カバーの背面図である。
【符号の説明】
【０１０１】
１０・・・ワイパピボット、１２・・・車両、１４・・・ピボットホルダ、１８・・・車両パネル（パネル部材）、２０・・・カウルパネル、３６・・・ピボットシャフト、３８・・・ピボット孔、４６・・・ピボットレバー、６０・・・防水カバー、６８・・・円板部（異物侵入阻止部、被覆部）、７０・・・平板部（被覆部）、７２・・・スカート、７６・・・平面部（異物侵入阻止部、被覆部）、７８・・・斜面部（異物侵入阻止部）８０・・・周壁（干渉壁）、８２・・・開放部、８６・・・ガイド壁（排水案内部）、８８・・・排水ゲート（排水案内部）、９０・・・堰部
【図１】
2006290300.tif 000003
【図２】
2006290300.tif 000004
【図３】
2006290300.tif 000005
【図４】
2006290300.tif 000006
【図５】
2006290300.tif 000007
【図６】
2006290300.tif 000008
【図７】
2006290300.tif 000009